(57)【要約】【課題】集塵装置とフィルター部を備えた電気掃除機にて、フィルター部が掃除機本体に対して未完全装着状態になり、吸込力の低下を抑制できる電気掃除機を提供すること。【解決手段】電動送風機９を内蔵する掃除機本体１と、掃除機本体１の前方に着脱自在に収納され、電動送風機９の吸引風で吸われた塵埃を遠心分離して捕集する集塵装置１０と、掃除機本体１の前方方向に着脱自在に収納され、かつ集塵装置１０を収納する側に設けられたフィルター部２３とを備え、フィルター部２３は、集塵装置１０の下流側と電動送風機９の吸込側との間に設置され、かつ電動送風機９の吸込側へ連通する風路内に配置され、フィルター部２３の着脱方向にあるフィルター部外郭の一部が、集塵装置１０の外郭と当接するよう構成したことにより、集塵装置１０が掃除機本体１に装着状態ではフィルター部２３が未完全装着状態にならず、電動送風機の吸込力低下を防止できる。【選択図】図３
2017018449.tif 000002
【特許請求の範囲】
【請求項１】
吸引風を発生させる電動送風機を内蔵する掃除機本体と、前記掃除機本体の前方に着脱自在に収納され、前記電動送風機から発生した吸引風により吸い込まれた塵埃を遠心分離して捕集する集塵装置と、前記掃除機本体の前方方向に着脱自在に収納され、かつ前記集塵装置を収納する側に設けられたフィルター部とを備え、前記フィルター部は、前記集塵装置の下流側と前記電動送風機の吸込側との間に設置され、かつ前記電動送風機の吸込側へ連通する風路内に配置され、前記フィルター部の着脱方向にある前記フィルター部外郭の一部が、前記集塵装置の外郭と当接するよう構成されていることを特徴とした電気掃除機。
【請求項２】
前記フィルター部には、前記掃除機本体に装着されている状態で前記掃除機本体の外側に位置する把持用の掴み部が設けられており、前記掴み部は前記集塵装置と前記掃除機本体の間に位置するよう構成されている、請求項１に記載の電気掃除機。
【請求項３】
前記掴み部は前記集塵装置の外郭と当接する部品と同一部品で構成されている、請求項２に記載の電気掃除機。
【発明の詳細な説明】
【技術分野】
【０００１】
本発明は、電気掃除機に関して、特に、掃除機本体に対して着脱自在な集塵装置とフィルター部を備えた電気掃除機に関するものである。
【背景技術】
【０００２】
従来、この種の電気掃除機においては、電動送風機を内蔵した掃除機本体と、掃除機本体に対して着脱自在な集塵装置と、掃除機本体に対して着脱自在なフィルター部を備え、電動送風機の吸込側に連通する風路の一部をフィルター部で形成する構成が提案されている（例えば、特許文献１参照）。
【先行技術文献】
【特許文献】
【０００３】
【特許文献１】特開２０１４−１８３００号公報
【発明の概要】
【発明が解決しようとする課題】
【０００４】
しかしながら、従来の電気掃除機においては、電気掃除機の使い勝手を向上させるという観点からは未だ改善の余地があった。
【０００５】
すなわち、従来の電気掃除機は、使用者が掃除機本体を移動させる際、衝撃によりフィルター部が掃除機本体に対して未完全装着状態になる可能性があり、また、使用者がフィルター部を着脱する際にもフィルター部が掃除機本体に対して未完全装着状態になる可能性があり、集塵装置から電動送風機までの風路が開放されることで電動送風機の吸込力が低下してしまう課題を有していた。
【０００６】
本発明は、従来技術の有する課題に鑑みてなされたものであり、フィルター部の着脱方向にあるフィルター部外郭の一部が、集塵装置の外郭と当接するよう構成され、フィルター部が掃除機本体に対して未完全装着状態になることを抑制する電気掃除機を提供することを目的とする。
【課題を解決するための手段】
【０００７】
上記従来技術の有する課題を解決するために、本発明は、吸引風を発生させる電動送風機を内蔵する掃除機本体と、前記掃除機本体の前方に着脱自在に収納され、前記電動送風機から発生した吸引風により吸い込まれた塵埃を遠心分離して捕集する集塵装置と、前記掃除機本体の前方方向に着脱自在に収納され、かつ前記集塵装置を収納する側に設けられたフィルター部とを備え、前記フィルター部は、前記集塵装置の下流側と前記電動送風機の吸込側との間に設置され、かつ前記電動送風機の吸込側へ連通する風路内に配置され、前記フィルター部の着脱方向にある前記フィルター部外郭の一部が、前記集塵装置の外郭と当接するよう構成されていることを特徴とした電気掃除機である。
【０００８】
これにより、集塵装置が掃除機本体の取り付けられている状態ではフィルター部が掃除機本体に対して未完全装着状態になることがなく、電動送風機の吸込力低下を防止でき、電気掃除機の使い勝手を向上させることができる。
【発明の効果】
【０００９】
本発明の電気掃除機によれば、集塵装置が掃除機本体の取り付けられている状態ではフィルター部が掃除機本体に対して未完全装着状態になることがなく、電動送風機の吸込力
低下を防止でき、電気掃除機の使い勝手を向上させることができる。
【図面の簡単な説明】
【００１０】
【図１】本発明の実施の形態１における電気掃除機の斜視図
【図２】同電気掃除機の前方からの主要部斜視図
【図３】同電気掃除機の左右方向の中心軸における側面からの断面図
【図４】同電気掃除機の集塵装置を取り外した状態における主要部斜視図
【図５】同電気掃除機のフィルター部を取り外した状態における主要部斜視図
【図６】同フィルター部の前方からの主要部斜視図
【図７】同フィルター部の分解図
【発明を実施するための形態】
【００１１】
第１の発明は、吸引風を発生させる電動送風機を内蔵する掃除機本体と、前記掃除機本体の前方に着脱自在に収納され、前記電動送風機から発生した吸引風により吸い込まれた塵埃を遠心分離して捕集する集塵装置と、前記掃除機本体の前方方向に着脱自在に収納され、かつ前記集塵装置を収納する側に設けられたフィルター部とを備え、前記フィルター部は、前記集塵装置の下流側と前記電動送風機の吸込側との間に設置され、かつ前記電動送風機の吸込側へ連通する風路内に配置され、前記フィルター部の着脱方向にある前記フィルター部外郭の一部が、前記集塵装置の外郭と当接するよう構成されていることを特徴とした電気掃除機としたものである。
【００１２】
これにより、集塵装置が掃除機本体に取り付けられている状態では、フィルター部が掃除機本体に対して未完全装着状態になることがなく、電動送風機の吸込力低下を防止でき、電気掃除機の使い勝手を向上させることができる。
【００１３】
第２発明は、特に、第１の発明において、フィルター部には、掃除機本体に装着されている状態で掃除機の外側に位置する把持用の掴み部が設けられており、掴み部は集塵装置と掃除機本体の間に位置する構成としたものである。
【００１４】
これにより、フィルター部が掃除機本体に取り付けられており、かつ集塵装置が掃除機本体に取り付けられている状態では、使用者がフィルター部の掴み部を操作することができず、また、外的要因でフィルター部の掴み部が操作されることがないため、フィルター部が掃除機本体に対して未完全装着状態になることがなく、電動送風機の吸込力低下抑制することができ、電気掃除機の使い勝手を向上させることができる。
【００１５】
第３の発明は、特に、第２の発明において、掴み部は集塵装置の外郭と当接する部品と同一部品で構成したものである。
【００１６】
これにより、フィルター部の把持用の掴み部を構成する部品で集塵装置の外郭と当接させることができるため、部品点数を削減することができ、掃除機本体を軽量化することができる。
【００１７】
以下、図面を参照しながら本発明の電気掃除機の好適な実施形態について詳細に説明する。なお、以下の説明では、同一または相当部分には同一符号付し、重複する説明は省略する。
【００１８】
（実施の形態１）
本発明の実施の形態１について、図１〜図７を用いて説明する。
【００１９】
図１は、本発明の実施の形態１における電気掃除機の斜視図である。図２は、同電気掃
除機の前方斜視図である。図３は、同電気掃除機の左右方向の中心軸における側断面図である。図４は、同電気掃除機の集塵装置を取り外した状態における前方斜視図である。図５は、同電気掃除機のフィルター部を取り外す状態を示す前方斜視図である。図６は、同フィルター部の前方斜視図である。図７は、同フィルター部の分解図である。
【００２０】
図１に示すように、本発明の電気掃除機１００は、吸引風を発生させる電動送風機９（図２及び図３参照）を内蔵する掃除機本体１と、被清掃面の塵埃を吸引する吸込具２と、一端が吸込具２に接続される延長管３と、一端が延長管３に接続され、他端が掃除機本体１に接続されるホース４と、から構成されている。
【００２１】
吸込具２には、被清掃面の塵埃を掻きあげる回転ブラシ（図示せず）と、回転ブラシ（図示せず）を回転駆動する電動機（図示せず）とが内蔵されている。また、ホース４の延長管３側の端部には、使用者が掃除する際に保持する把手部５を備えた先端パイプ６が設けられており、この先端パイプ６を介して延長管３とホース４とが着脱自在に接続されている。
【００２２】
さらに、ホース４の掃除機本体１側の端部には、接続パイプ７が設けられており、この接続パイプ７を介して掃除機本体１の吸気口８とホース４とが着脱自在に接続されている。
【００２３】
図２及び図３に示すように、掃除機本体１は、掃除機本体１の下面を形成する下枠体１１と、掃除機本体１の上面を形成する上枠体１２から構成されており、下枠体１１と上枠体１２は爪やネジ等によって結合されている。掃除機本体１の上枠体１２の上部には、塵埃を遠心分離して捕集する集塵装置１０が着脱自在に配置されている。
【００２４】
また、下枠体１１の下面の前方には、走行用のキャスター１３が回動自在に取り付けられており、下枠体１１の後方の左右両側面には、走行用の車輪１４が設けられており、少なくとも前後方向に沿って走行可能に構成されている。なお、以下、前後方向および左右方向は、掃除機本体１の走行方向を基準としている。
【００２５】
図２〜５において、電動送風機９は電動送風機ケース１５に内包されており、電動送風機９の吸入口１６が掃除機本体１に対して鉛直上方向になるように配置されている。また、電動送風機９の鉛直上方向にはフィルターケース１７が配置されており、電動送風機ケース１５とフィルターケース１７は爪やネジ等によって結合されている。さらに、フィルターケース１７の鉛直上方向には吸気通路１８が配置されており、フィルターケース１７と吸気通路１８は爪やネジ等によって結合されている。
【００２６】
このとき、フィルターケース１７は掃除機本体１の前方向に開口部ａ１９を有しており、掃除機本体１の上枠体１２に設けられた集塵装置収納空間２０と連通するように構成されている。
【００２７】
また、吸気通路１８には開口部ｂ２１が設けられており、集塵装置１０に設けられた開口部ｃ２２と、集塵装置１０を装着する際に連通する構成となっている。
【００２８】
図６及び図７に示すように、フィルター部２３は、フィルター摘み部２４と細塵を捕集可能な集塵フィルター２７が内包されているフィルター枠２５とで構成されており、フィルター摘み部２４とフィルター枠２５はネジによって結合されている。
【００２９】
このとき、図２〜５において、フィルターケース１７の開口部ａ１９には、フィルター部２３を内包できる空間が確保されており、フィルター部２３はフィルターケース１７の
開口部ａ１９に着脱自在に内包されている。
【００３０】
さらに、フィルター摘み部２４の鉛直上部分には前方向に伸びるリブ体２６が設けられており、集塵装置１０を掃除機本体１に装着した際に、集塵装置１０の外郭と当接する構成となっており、フィルター部２３が確実にフィルターケース１７内に装着された状態でないと、集塵装置１０が装着できないようになっており、フィルター部２３が掃除機本体１に対して未完全装着状態になることがないように構成されている。
【００３１】
以上のように構成された電気掃除機について、以下、その動作と作用を説明する。
使用者が電気掃除機１００を使用して掃除を開始すると、電源コード（図示せず）から電動送風機９に電源が供給され、電動送風機９で吸引風が発生される。電動送風機９で吸引風が発生されると、被清掃面上の塵埃が吸込具２から空気とともに吸引される。
【００３２】
吸込具２から吸引された塵埃を含む空気は、延長管３及びホース４を介して掃除機本体１の内部へと流入し、その後、集塵装置１０で遠心分離され塵埃のみが捕集される。そして、遠心分離によって実質的に塵埃を含まない空気は、集塵装置１０の開口部ｃ２２から吸気通路１８の開口部ｂ２１に排出される。
【００３３】
この後、開口部ｂ２１に排出された空気は、フィルター部２３を通過した後、吸入口１６から電動送風機９へと吸込まれ、電動送風機９の内部を冷却しつつ、掃除機本体１の外側に排出される。
【００３４】
掃除を終了すると、使用者は掃除機本体１から塵埃が捕集された集塵装置１０を取り外し、ごみ箱などの廃棄位置にて捕集された塵埃を廃棄する。また、集塵装置１０では基本的にすべての塵埃を遠心分離して捕集することができるが、電動送風機９の起動時や運転終了時などの流入空気量が不安定な状態である場合に、集塵装置１０で遠心分離しきれなかった塵埃を含んだ空気が一部、フィルター部２３を通過し、フィルター部２３で捕集される。
【００３５】
そして、フィルター部２３に塵埃が相当量捕集され、フィルター部２３のお手入れが必要になった場合、使用者は集塵装置１０を掃除機本体１から取り外した状態で、フィルター部２３のフィルター摘み部２４を掴み、掃除機本体１の前方向に移動させることで掃除機本体１からフィルター部２３を取り外される。
【００３６】
この後、フィルター部２３に付着した塵埃を取り除き、集塵装置１０を掃除機本体１から取り外した状態で、フィルター部２３のフィルター摘み部２４を掴んでフィルターケース１７の開口部ａ１９に挿入する。そして、掃除機本体１に集塵装置１０を取り付けることで、再度掃除を開始することができる。
【００３７】
以上のように、本実施の形態においては、集塵装置１０が掃除機本体１に取り付けられている状態ではフィルター部２３が掃除機本体１に対して未完全装着状態になることがなく、電動送風機９の吸込力低下を防止することができ、電気掃除機１００の使い勝手を向上させることができる。
【００３８】
また、本実施の形態においては、フィルター部２３が掃除機本体１に取り付けられており、かつ集塵装置１０が掃除機本体１に取り付けられている状態では、使用者がフィルター部２３のフィルター摘み部２４を操作することができず、また、外的要因でフィルター部２３のフィルター摘み部２４が操作されることがないため、フィルター部２３が掃除機本体１に対して未完全装着状態になることがなく、電動送風機９の吸込力低下を防止でき、電気掃除機１００の使い勝手を向上させることができる。
【００３９】
さらに、本実施の形態においては、フィルター部２３のフィルター摘み部２４を構成する部品に上述のリブ体２６を一体に設けて、集塵装置１０の外郭と当接させることができるため、部品点数を削減することができ、掃除機本体１を軽量化することができる。
【産業上の利用可能性】
【００４０】
本発明の電気掃除機は、フィルター部の着脱方向にあるフィルター部外郭の一部が、集塵装置の外郭と当接するよう構成したものであり、集塵装置が掃除機本体の取り付けられている状態ではフィルター部が掃除機本体に対して未完全装着状態になることがなく、電動送風機の吸込力低下を防止でき、電気掃除機の使い勝手を向上させることができるため、家庭用電気掃除機及び産業用電気掃除機の分野・用途に好適に適用することができる。
【符号の説明】
【００４１】
１  掃除機本体
２  吸込具
３  延長管
４  ホース
５  把手部
６  先端パイプ
７  接続パイプ
８  吸気口
９  電動送風機
１０  集塵装置
１１  下枠体
１２  上枠体
１３  キャスター
１４  車輪
１５  電動送風機ケース
１６  吸入口
１７  フィルターケース
１８  吸気通路
１９  開口部ａ
２０  集塵装置収納空間
２１  開口部ｂ
２２  開口部ｃ
２３  フィルター部
２４  フィルター摘み部
２５  フィルター枠
２６  リブ体
２７  集塵フィルター
１００  電気掃除機
【図１】
2017018449.tif 000003
【図２】
2017018449.tif 000004
【図３】
2017018449.tif 000005
【図４】
2017018449.tif 000006
【図５】
2017018449.tif 000007
【図６】
2017018449.tif 000008
【図７】
2017018449.tif 000009